(57)【要約】【課題】冷却材収納容器に収納し回転盤を軽やかに回転するのみというスムースな冷却作業を行った後に、これを取出すという簡単な作業で缶入りビール、缶入り発泡酒等の缶入り飲料を急速に冷却することのできる缶入り飲料急速冷却器を提供すること。【解決手段】冷却材４を収納する冷却材収納容器２の底部には、冷却される缶入り飲料５を揺動自在でかつ傾斜状態に前記缶入り飲料底部５２を保持する缶体受け６を形成するとともに、冷却材収納容器２の蓋体３に形成された回転盤７は冷却材収納容器２内で缶入り飲料５の外周を回転する攪拌棒８を連接し、缶体受け６に傾斜状態に保持された缶入り飲料５の攪拌棒８の回転軌道から突出する外周部５１を攪拌棒８により接触押動することにより缶入り飲料５は缶体受け６内で揺動する缶入り飲料急速冷却器１。【選択図】図２
0003150654.tif 000002
【実用新案登録請求の範囲】
【請求項１】
冷却材を収納する冷却材収納容器の底部には、冷却される缶入り飲料を揺動自在でかつ傾斜状態に前記缶入り飲料下方部を保持する缶体受けを形成するとともに、前記冷却材収納容器の蓋体に形成された回転盤は前記冷却材収納容器内で前記缶入り飲料の外周を回転する攪拌棒を連接し、前記缶体受けに傾斜状態に保持された前記缶入り飲料の前記攪拌棒の回転軌道から突出する外周部を前記攪拌棒により接触押動することにより前記缶入り飲料は前記缶体受け内で揺動することを特徴とする缶入り飲料急速冷却器。
【請求項２】
冷却材収納容器の缶体受けの略中央部には突起体を突設し、この突起体にて缶入り飲料底部の凹部略中央を傾倒自在に点支持するとともに、前記缶入り飲料の一側面は前記缶体受け内面に当接し揺動自在な傾斜状態に保持され、前記缶入り飲料の外周部を攪拌棒の回転軌道から突出させてなることを特徴とする請求項１に記載の缶入り飲料急速冷却器。
【請求項３】
攪拌棒は、缶入り飲料の外周部を摺動して前記缶入り飲料に回転力を与え、前記缶入り飲料は缶体受け内で揺動しながら回転することを特徴とする請求項１または請求項２記載の缶入り飲料急速冷却器。
【請求項４】
攪拌棒には、缶入り飲料の外周部に当接して前記缶入り飲料に接触する突出部を形成したことを特徴とする請求項１乃至請求項３のいずれかに記載の缶入り飲料急速冷却器。
【請求項５】
蓋体に形成された手動にて回転自在な回転盤は、この回転盤下面に固定された第１のギアと、この第１のギアに噛合し、他端に攪拌棒を接続し第１のギアより歯数を少なくし前記攪拌棒の回転を加速するための第２ギアを有してなることを特徴とする請求項１乃至請求項４のいずれかに記載の缶入り飲料急速冷却器。
【請求項６】
蓋体は中空部を有し、第１のギアと第２のギアとはこの中空部に収納されてなることを特徴とする請求項１乃至請求項５のいずれかに記載の缶入り飲料急速冷却器。
【請求項７】
回転盤には回軸盤を手動にて回転させるためのつまみを突設したことを特徴とする請求項１乃至請求項６のいずれかに記載の缶入り飲料急速冷却器。
【請求項８】
攪拌棒を缶入り飲料外周に位置させるべく第２のギアと攪拌棒は蓋体上面に対して平行なアームを介して接続されてなることを特徴とする請求項１乃至請求項７のいずれかに記載の缶入り飲料急速冷却器。
【請求項９】
冷却材を氷水としたことを特徴とする請求項１乃至請求項８のいずれかに記載の缶入り飲料急速冷却器。
【請求項１０】
缶入り飲料はアルミニウム缶またはスチール缶入りの発泡酒及びビールとしたことを特徴とする請求項１乃至請求項９のいずれかに記載の缶入り飲料急速冷却器。
【考案の詳細な説明】
【技術分野】
【０００１】
本考案は極めて短時間でアルミニウム缶等の金属性缶入りのビール、発泡酒等の缶入り飲料を好適な状態に冷やすことができ、不意の来客あるいは冷蔵庫で缶ビール、缶入り発泡ビール等の缶入り飲料を冷やし忘れてしまった場合に有用な缶入り飲料急速冷却器に関する。
【背景技術】
【０００２】
従来の飲料急冷器にあっては、氷を収納した容器内に缶入り飲料を収納するとともに、この飲料水を氷内で回転させて冷やすために回転ハンドルの先端に取付けた吸盤に缶入り飲料を吸着固定し、氷内を回転させることにより冷やす形態のものが多数知られている（特許文献１）。あるいは、氷を収納した飲料冷却器に入れられた飲料容器天面を回転ハンドルに連係する軸に配された摩擦板に接合し、摩擦板を回転させるハンドルを回すことにより飲料容器を飲料冷却器内で周回移動させながらに氷に接触させることにより冷却する形態の物等がある（特許文献２および特許文献３）。尚、ビール、発泡酒等の発泡性飲料は、緩やかな揺れを加えることによりガスが液体内に拡散し、開封時に泡が噴出することなく、まろやかで、苦みのない、泡立ちが優れた状態で提供できることが知られている（特許文献４）。
【特許文献１】特開平１０−２６７４８７公報
【特許文献２】実用新案登録第３０８７３７７号公報
【特許文献３】実用新案登録第３０９３０６７号公報
【特許文献４】特表２００２−５２７０９５公報
【考案の開示】
【考案が解決しようとする課題】
【０００３】
しかしながら、従来のこの種の冷却器にあっては回転駆動体に吸盤等にて固定された缶入り飲料を容器内の氷に接触しながら強制回転させる方式であるため、缶入り飲料が吸盤から外れたり、あるいはロック状態から解除されたりするおそれがあることは勿論のこと、その機構が複雑であることから、缶入り飲料の回転駆動体への装着及び取出しにも時間がかかり簡単に収納し、急速に冷却したあと、容易に取り出すことは困難であった。
【０００４】
さらに、缶入り飲料を直立状態に保持し、強制的に氷に接触させることによる熱交換作用による冷却方式は必ずしも効率の良いものではなく極めて短時間に好適な冷却温度を得ることは困難である。
【０００５】
さらにまた、容器内に満たされた氷内を強制的に回転駆動されるため、缶容器がへこんだり、傷ついたり、プルトップがとれてしまうおそれがあるとともに、氷との接触音も耳触りとなる等、多くの問題点をかかえている。
【０００６】
本考案にあっては、従来の如く、缶入り飲料を回転駆動体に固定的に取り付けた後、氷内を強制的に回転駆動する等缶入り飲料の回転駆動体への取付け、取外しに手間がかかり、しかも回転中に回転駆動体より外れてしまったり、あるいは缶そのものがへこんだり傷ついたりしてしまうおそれもなく、容器内にそのまま収納し、かつ格別な力を要することもなく、また騒音を発することもなく、冷却材収納容器内に収納し回転盤を軽やかに回転するのみというスムースな冷却作業を行った後に、これを取出すという簡単な作業で缶入りビール、缶入り発泡酒等の缶入り飲料を急速に冷却することのできる缶入り飲料急速冷却器を提供することを第一の目的とする。
【０００７】
また、缶入りビール、缶入り発泡酒等の缶入り飲料を、氷水を収納した冷却用器内で揺動することにより、急速冷却するという新冷却手段により、従来の強制的な氷接触方式に比較し、より短時間に効率よく冷却することができる缶入り飲料急速冷却器を提供することを第二の目的とする。
【０００８】
また本考案は労苦を伴わない冷却作業は勿論のこと、冷却される物が缶入り発泡酒、缶入りビール等の発泡性飲料の場合、冷却後開封にも泡が吹き出してしまうこと無く、好適な泡状態の発泡酒及びビールを提供できる缶入り飲料急速冷却器を提供することを第三の目的とする。
【課題を解決するための手段】
【０００９】
上記課題を解決するため、本考案の缶入り急速冷却器は、冷却材を収納する冷却材収納容器の底部には、冷却される缶入り飲料を揺動自在でかつ傾斜状態に前記缶入り飲料下方部を保持する缶体受けを形成するとともに、前記冷却材収納容器の蓋体に形成された回転盤は前記冷却材収納容器内で前記缶入り飲料の外周を回転する攪拌棒を連接し、前記缶体受けに傾斜状態に保持された前記缶入り飲料の前記攪拌棒の回転軌道から突出する外周部を前記攪拌棒により接触押動することにより前記缶入り飲料は前記缶体受け内で揺動することを特徴とする。
【００１０】
また、冷却材収納容器の缶体受けの略中央部には突起体を突設し、この突起体にて缶入り飲料底部の凹部略中央を傾倒自在に点支持するとともに、前記缶入り飲料の一側面は前記缶体受け内面に当接して揺動自在な傾斜状態に保持され、前記缶入り飲料の外周部を攪拌棒の回転軌道から突出させてなることを特徴とする。
【００１１】
また、攪拌棒は、缶入り飲料の外周部を摺動して前記缶入り飲料に回転力を与え、前記缶入り飲料は缶体受け内で揺動しながら回転することを特徴とする。
【００１２】
攪拌棒には、缶入り飲料の外周部に当接して前記缶入り飲料に接触する突出部を形成したことを特徴とする。
【００１３】
また、蓋体に形成された手動にて回転自在な回転盤は、この回転盤下面に固定された第１のギアと、この第１のギアに噛合し、他端に攪拌棒を接続し第１のギアより歯数を少なくし前記攪拌棒の回転を加速するための第２ギアを有してなることを特徴とする。
【００１４】
また、蓋体は中空部を有し、第１のギアと第２のギアとはこの中空部に収納されてなることを特徴とする。
【００１５】
また、回転盤には回軸盤を手動にて回転させるためのつまみを突設したことを特徴とする。
【００１６】
また、攪拌棒を缶入り飲料外周に位置させるべく第２のギアと攪拌棒は蓋体上面に対して平行なアームを介して接続されてなることを特徴とする。
【００１７】
また、冷却材を氷水としたことを特徴とする。
【００１８】
缶入り飲料はアルミニウム缶またはスチール缶入りの発泡酒及びビールとしたことを特徴とする。
【考案の効果】
【００１９】
本考案の缶入り飲料急速冷却器は、冷却材を収納する冷却材収納容器の底部には、冷却される缶入り飲料を揺動自在でかつ傾斜状態に前記缶入り飲料下方部を保持する缶体受けを形成するとともに、前記冷却材収納容器の蓋体に形成された回転盤は前記冷却材収納容器内で前記缶入り飲料の外周を回転する攪拌棒を連接し、前記缶体受けに傾斜状態に保持された前記缶入り飲料の前記攪拌棒の回転軌道から突出する外周部を前記攪拌棒により接触押動することにより前記缶入り飲料は前記缶体受け内で揺動することにより、従来の如く、回転駆動体に取付け取外すといった困難な作業を要することなく、容器内への単なる収納、取り出しと、極めて簡単な回転作業のみで、缶入り飲料を急速冷却することができる。また、缶入り飲料を揺動させながら冷却することから、缶に封入されてなる飲料は冷却材により冷やされた缶体に均一に接触するので飲料全体を短時間にて冷却することができる。また緩やかに揺動しながら冷却することから、缶入り飲料には上下方向への激しい動きが加わることはないので、缶入り飲料開封後も泡が吹き出すこともなく、飲料を好適な状態で提供することができる。
【００２０】
また、冷却材収納容器の缶体受けの略中央部には突起体を突設し、この突起体にて缶入り飲料底部の凹部略中央を傾倒自在に点支持するとともに、前記缶入り飲料の一側面は前記缶体受け内面に当接し揺動自在な傾斜状態に保持され、前記缶入り飲料の外周部を攪拌棒の回転軌道から突出させてなることにより、缶入り飲料が倒れることなく揺動する状態を確保することができる。また、缶入り飲料の外周部を攪拌棒の回転軌道から突出させることができるので、攪拌棒により確実に接触押動することができる。
【００２１】
また、攪拌棒は、缶入り飲料の外周部を摺動して前記缶入り飲料に回転力を与え、前記缶入り飲料は缶体受け内で揺動しながら回転することにより、缶に封入されてなる飲料は冷却材により冷やされた缶体に均一に接触するので飲料全体を短時間にて冷却することができる。また飲料に緩やかな揺動と回転を与えながら冷却することから、缶入り飲料には上下方向への激しい動きが加わることはないので、缶入り飲料開封後も泡が吹き出すこともなく、飲料を好適な状態で提供することができる。
【００２２】
攪拌棒には、缶入り飲料の外周部に当接して前記缶入り飲料に接触する突出部を形成したことにより、缶入り飲料に対し攪拌棒を確実に接触させることができる。
【００２３】
また、蓋体に形成された手動にて回転自在な回転盤は、この回転盤下面に固定された第１のギアと、この第１のギアに噛合し、他端に攪拌棒を接続し第１のギアより歯数を少なくし前記攪拌棒の回転を加速するための第２ギアを有してなることから、少ない回転盤の回転作業で攪拌棒を多数回回転させることができ、缶入り飲料に対する接触押動を容易にかつ効率よく与えることができ、缶入り飲料を効率的に搖動および回転させることができる。
【００２４】
また、蓋体は中空部を有し、第１のギアと第２のギアとはこの中空部に収納されていることから、冷却材収納容器は安全であるとともに衛生状態を保持することができる。
【００２５】
また、回転盤には回軸盤を手動にて回転させるためのつまみを突設したことから、使用者は容易に回転盤を回転駆動させることができる。
【００２６】
また、攪拌棒を缶入り飲料外周に位置させるべく第２のギアと攪拌棒は蓋体上面に対して平行なアームを介して接続されていることから、攪拌棒は確実に缶入り飲料外周を回転し缶入り飲料を接触押動することができる。
【００２７】
また、冷却材を氷水としたことを特徴としたことから、氷に比較し、攪拌棒を容易に回転させることが可能で最も効率のよい冷却効果を得ることができるとともに、冷却材が氷のみと異なり抵抗が少ないことから、缶入り飲料が開封時に噴き出す原因となる缶入り飲料に対する上下方向等への不必要な振動を与えることがない。
【００２８】
アルミニウム缶またはスチール缶入りの発泡酒及びビールとしたことにより、冷却後に開封しても泡が吹き出すことはない。
【考案を実施するための最良の形態】
【００２９】
本考案の缶入り飲料急速冷却器を図１乃至図７に基づいて説明する。図１は本考案の缶入り飲料急速冷却器の断面図、図２および図３は本考案の缶入り飲料急速冷却器の使用状態を示す断面図、図４は蓋体の表面斜視図、図５は蓋体の裏面斜視図、図６は第１のギアの斜視図、図７は第２のギアの斜視図である。
【００３０】
図１乃至図３に示すごとく、本考案の缶入り飲料急速冷却器１は、氷４１水４２からなる冷却材４を収納するとともに缶入り飲料５を立て置きに収納できる有底筒状の冷却材収納容器２、冷却材収納容器２の上部を封止する蓋体３とからなる。
【００３１】
冷却材収納容器２の底部には、冷却される缶入り飲料５を揺動自在でかつ傾斜状態に保持する缶体受け６を形成するとともに、蓋体３に形成された回転盤７には冷却材収納容器２内で缶入り飲料５の外周を周回回転する攪拌棒８を連接し、缶体受け６に傾斜状態に保持された缶入り飲料５の攪拌棒８の回転軌道から突出する外周部５１を攪拌棒８により接触押動することにより缶入り飲料５は缶体受け６内で揺動するようになっている。
【００３２】
缶体受け６は、缶入り飲料５の下方部を保持可能な皿状または椀状に形成されている。そして缶体受け６の略中央部には突起体６１を突設し、この突起体６１にて缶入り飲料底部の凹部５２略中央を傾倒自在に点支持するとともに缶入り飲料５の一側面を缶体受け６内面に当接させて揺動自在な傾斜状態に保持し、缶入り飲料５の外周部５１を攪拌棒８の回転軌道から突出させるようになっている。
【００３３】
攪拌棒８には、缶入り飲料５の外周部５１に当接して缶入り飲料５に接触する突出部８１が形成されている。突出部８１は、円盤状に形成されてその側面が缶入り飲料５の外周部５１に接触押動して缶入り飲料５を揺動させるとともに、缶入り飲料５を摺動して回転力を与え、缶入り飲料５は缶体受け６内で緩やかに揺動しながら回転するようになっている。
【００３４】
蓋体３は、冷却材収納容器２の上部を螺合、嵌合等により水密に封止するように形成されている。蓋体上面３１に形成された回転自在な回転盤７は、回転盤７に突設されたつまみ７１を回転させることにより回転する。回転盤７の下面に第１のギア９１が固定され、この第１のギア９１には、第１のギア９１より歯数が少なく小径の第２のギア９２が噛合されている。第２のギア９２には、蓋体上面３１に対して平行に接続され攪拌棒８を缶入り飲料５外周に位置させる長さのアーム８２を介して攪拌棒８が接続されていて、回転盤７の回転により第１のギア９１を回転すると、回転を加速するための第２のギアに接続された攪拌棒８は迅速に回転する。本考案の缶入り飲料急速冷却器１においては第１のギアと第２のギアの歯数は、３：１に形成してなるので回転盤７を一回転させると攪拌棒８は冷却材収納容器２内で三回転し、冷却材４を攪拌しながら缶入り飲料５の外周部５１を接触押動および摺動し、缶入り飲料５を揺動させるようになっている。
【００３５】
蓋体３は蓋体上面３１と蓋体下面３２間に中空のギア収納部３３を有し、第１のギア９１と第２のギア９２はこのギア収納部３３に収納されている。
【００３６】
尚、缶入り飲料急速冷却器１は透明樹脂材で形成されており、ギア収納部３３には、第１のギアおよび第２のギアから順次噛合し回転する装飾用ギア９３、９４が配設されているが、これら装飾用ギアは、ギアの動きを視覚的に楽しませるためのものであり配設しなくてもよい。
【００３７】
次に、本考案の缶入り飲料急速冷却器１の使用状態を説明する。冷却材収納容器２の缶体受け６に缶入り飲料５を載置すると上述の缶体受け６の構成により缶入り飲料５は揺動自在な傾斜状態に缶体受け内に収納される。そして冷却材収納容器２内に冷却材としての氷４１および水４２を適量入れ、蓋体３にて冷却材収納容器２を封止する。尚、本考案の形態においては、冷却材４は缶入り飲料の７割〜９割が冷却材４内に浸かる程度の量が攪拌棒８の回転の容易性と急速冷却のために好適であるが、冷却材４の量はこれに限られるものではない。
【００３８】
この状態で、使用者は、つまみ７１を持って回転盤７を回転させると、回転盤７の回転に伴って、第１のギアこれに噛合する第２のギアが回転し第２のギアにアーム８２を介して接続されてなる攪拌棒８は冷却材収納容器２内において、缶入り飲料５の外周を冷却材４を攪拌しながら回転する。このとき缶入り飲料５は傾斜状態にあることにより缶入り飲料５の外周部５１が攪拌棒８の回転軌道より突出しているので、外周部５１に攪拌棒８の突出部８１が接触押動し缶入り飲料５は缶体受け６内で揺動するとともに、攪拌棒８の突出部８１の摺動により攪拌棒８の回転とは逆方向に回転する。
【００３９】
このように、缶入り飲料５を緩やかに揺動させ、さらには回転させることにより、缶に封入されてなる飲料は缶体に均一に当接し急速に冷却することができるとともに、缶入り飲料を縦横方向に激しい動作を加えることなく飲料に適当な揺動を与えながら冷却することができ、缶入り発泡酒、缶入りビール等の発泡性飲料にあっては、開封後泡が吹き出すこともなく、好適な状態で提供することができるのである。
【００４０】
尚、本考案の実施例において、冷却材は氷水としているがこれに限られるものではなく、氷、冷水等いかなる冷却材であってもよく、缶入り飲料の内容物は、ビール、発泡酒の他、果実飲料、清涼飲料等いかなる飲料であってもよい。
【図面の簡単な説明】
【００４１】
【図１】本考案の缶入り飲料急速冷却器の断面図。
【図２】本考案の缶入り飲料急速冷却器の使用状態を示す断面図。
【図３】本考案の缶入り飲料急速冷却器の使用状態を示す断面図。
【図４】蓋体の表面斜視図。
【図５】蓋体の裏面斜視図。
【図６】第１のギアの斜視図。
【図７】第２のギアの斜視図。
【符号の説明】
【００４２】
１    缶入り飲料急速冷却器
２    冷却材収納容器
３    蓋体
３１  蓋体上面
３２  蓋体下面
３３  ギア収納部
４    冷却材
４１  氷
４２  水
５    缶入り飲料
５１  缶入り飲料外周部
５２  缶入り飲料底部
６    缶体受け
６１  突起部
７    回転盤
７１  つまみ
８    攪拌棒
８１  突出部
８２  アーム
９１  第１のギア
９２  第２のギア
９３  装飾ギア
９４  装飾ギア
【図１】
0003150654.tif 000003
【図２】
0003150654.tif 000004
【図３】
0003150654.tif 000005
【図４】
0003150654.tif 000006
【図５】
0003150654.tif 000007
【図６】
0003150654.tif 000008
【図７】
0003150654.tif 000009